(57)【要約】【課題】車両の外部に対して有用な情報を提供することがきる情報表示システムを提供することを目的とする。【解決手段】情報表示システム１は、車両の外部から外部情報を受信するアンテナ２と、車両の外部に対して表示を行う表示器３と、アンテナ２が受信した外部情報に基づいて、表示器３を制御し、当該外部情報と連携した表示を行わせる外部向け表示処理を実行可能である処理部４と、アンテナ２、表示器３、及び、処理部４が組み付けられてユニット化し車両に据え付けられる筐体５とを備えることを特徴とする。この結果、情報表示システム１は、車両の外部に対して有用な情報を提供することがきる、という効果を奏する。【選択図】図３
2020104535.tif 000002
【特許請求の範囲】
【請求項１】
車両の外部から外部情報を受信するアンテナと、
前記車両の外部に対して表示を行う表示器と、
前記アンテナが受信した前記外部情報に基づいて、前記表示器を制御し、当該外部情報と連携した表示を行わせる外部向け表示処理を実行可能である処理部と、
前記アンテナ、前記表示器、及び、前記処理部が組み付けられてユニット化し前記車両に据え付けられる筐体とを備えることを特徴とする、
情報表示システム。
【請求項２】
前記アンテナが受信する前記外部情報は、前記車両の車両前後方向の前方を走行する先行車両から受信する警告情報を含み、
前記処理部は、前記外部向け表示処理では、前記アンテナが受信した前記警告情報に基づいて、前記表示器を制御し、当該警告情報と連携した警告表示を行わせる、
請求項１に記載の情報表示システム。
【請求項３】
前記アンテナ、前記表示器、前記処理部、及び、前記筐体は、前記車両の車両前後方向の後部に設けられ、
前記処理部は、前記外部向け表示処理では、前記表示器を制御し、前記車両の前記車両前後方向の後方に対して表示を行わせる、
請求項１又は請求項２に記載の情報表示システム。
【請求項４】
前記アンテナ、前記表示器、前記処理部、及び、前記筐体は、前記車両の車両前後方向の後部に設けられるリアスポイラーに内蔵される、
請求項１乃至請求項３のいずれか１項に記載の情報表示システム。
【請求項５】
前記筐体は、前記車両の車両前後方向の後部に設けられるリアスポイラーによって兼用される、
請求項１乃至請求項３のいずれか１項に記載の情報表示システム。
【発明の詳細な説明】
【技術分野】
【０００１】
本発明は、情報表示システムに関する。
【背景技術】
【０００２】
車両に搭載される従来の情報表示システムとして、例えば、特許文献１には、外部に光を照射する光源が信号透過性の高いハウジングに収容され、このハウジングが車両ルーフの上面前部に取り付けられた車両用灯体が開示されている。この車両用灯体は、ハウジングが車両ルーフの上面前部に取り付けられるとともに、ハウジング内に通信手段の信号受信部と信号発信部の少なくとも一方が設けられている。
【先行技術文献】
【特許文献】
【０００３】
【特許文献１】特開２００７−３２０３３９号公報
【発明の概要】
【発明が解決しようとする課題】
【０００４】
ところで、上述の特許文献１に記載の車両用灯体は、例えば、車両の外部に対するより有用な情報の提供の点で更なる改善の余地がある。
【０００５】
本発明は、上記の事情に鑑みてなされたものであって、車両の外部に対して有用な情報を提供することがきる情報表示システムを提供することを目的とする。
【課題を解決するための手段】
【０００６】
上記目的を達成するために、本発明に係る情報表示システムは、車両の外部から外部情報を受信するアンテナと、前記車両の外部に対して表示を行う表示器と、前記アンテナが受信した前記外部情報に基づいて、前記表示器を制御し、当該外部情報と連携した表示を行わせる外部向け表示処理を実行可能である処理部と、前記アンテナ、前記表示器、及び、前記処理部が組み付けられてユニット化し前記車両に据え付けられる筐体とを備えることを特徴とする。
【０００７】
また、上記情報表示システムでは、前記アンテナが受信する前記外部情報は、前記車両の車両前後方向の前方を走行する先行車両から受信する警告情報を含み、前記処理部は、前記外部向け表示処理では、前記アンテナが受信した前記警告情報に基づいて、前記表示器を制御し、当該警告情報と連携した警告表示を行わせるものとすることができる。
【０００８】
また、上記情報表示システムでは、前記アンテナ、前記表示器、前記処理部、及び、前記筐体は、前記車両の車両前後方向の後部に設けられ、前記処理部は、前記外部向け表示処理では、前記表示器を制御し、前記車両の前記車両前後方向の後方に対して表示を行わせるものとすることができる。
【０００９】
また、上記情報表示システムでは、前記アンテナ、前記表示器、前記処理部、及び、前記筐体は、前記車両の車両前後方向の後部に設けられるリアスポイラーに内蔵されるものとすることができる。
【００１０】
また、上記情報表示システムでは、前記筐体は、前記車両の車両前後方向の後部に設けられるリアスポイラーによって兼用されるものとすることができる。
【発明の効果】
【００１１】
本発明に係る情報表示システムは、車両に据え付けられた筐体を介してユニット化されたアンテナ、表示器、及び、処理部が連携して外部向け表示処理を実行することができる。ここで、外部向け表示処理とは、処理部によって実行される処理であり、アンテナが受信した外部情報に基づいて表示器を制御し当該外部情報と連携した表示を行わせる処理である。この結果、情報表示システムは、車両の外部に対して有用な情報を提供することがきる、という効果を奏する。
【図面の簡単な説明】
【００１２】
【図１】図１は、実施形態に係る情報表示システムが搭載される車両の概略構成を表す斜視図である。
【図２】図２は、実施形態に係る情報表示システムの適用例を表す模式図である。
【図３】図３は、実施形態に係る情報表示システムの概略構成を表すブロック図である。
【図４】図４は、実施形態に係る情報表示システムの処理部の概略構成を表すブロック図である。
【図５】図５は、実施形態に係る情報表示システムにおける制御の一例を表すフローチャート図である。
【図６】図６は、変形例に係る情報表示システムの概略構成を表すブロック図である。
【図７】図７は、変形例に係る情報表示システムの概略構成を表すブロック図である。
【図８】図８は、変形例に係る情報表示システムの適用例を表す模式図である。
【発明を実施するための形態】
【００１３】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１４】
［実施形態］
本実施形態に係る情報表示システム１は、図１、図２に示すように、車両Ｖに搭載される車載システムである。本実施形態の情報表示システム１は、車両Ｖの外部の外部通信対象ＴＡ１から外部情報を受信し情報提供対象ＴＡ２に対して当該外部情報と連携した情報を提示するための構造的なモジュールを構成する。情報表示システム１は、図３に示す構成要素を車両Ｖに搭載することで実現される。以下、各図を参照して情報表示システム１の構成について詳細に説明する。
【００１５】
なお、以下の説明では、車両Ｖの「車両前後方向Ｘ」とは、典型的には、車両Ｖの全長方向に相当し、さらに言えば、車両Ｖの前後直進方向に沿った方向に相当する。車両Ｖの「車両幅方向Ｙ」とは、典型的には、車両Ｖの全幅方向に相当し、車両Ｖの車両左右方向に相当する。車両Ｖの「車両高さ方向Ｚ」とは、典型的には、車両Ｖの車高方向に相当する。第１方向である車両前後方向Ｘと第２方向である車両幅方向Ｙと第３方向である車両高さ方向Ｚとは、相互に直交し、車両Ｖが水平面に位置する状態で、車両前後方向Ｘ、車両幅方向Ｙが水平方向に沿い、車両高さ方向Ｚが鉛直方向に沿う。また、以下の説明では、車両前後方向Ｘにおいて、車両Ｖが前進する側を「前方」、車両Ｖが後進する側を「後方」という場合がある。また、車両Ｖにおいて、車両前後方向Ｘの前方側の部分を「車両前部ＶＦ」、車両Ｖ車両前後方向Ｘの後方側の部分を「車両後部ＶＲ」という場合がある。また、車両高さ方向Ｚにおいて、鉛直方向上側を「上方」、鉛直方向下側を「下方」という場合がある。以下の説明で用いる各方向は、特に断りのない限り、各部が相互に組み付けられた状態での方向を表すものとする。
【００１６】
また、本実施形態の外部通信対象ＴＡ１、及び、情報提供対象ＴＡ２は、典型的には、当該情報表示システム１が搭載された車両（自車両）Ｖ以外の他の車両（他車両）である。以下の説明では、一例として、外部通信対象ＴＡ１は、車両Ｖの車両前後方向Ｘの前方を走行する先行車両であり、情報提供対象ＴＡ２は、車両Ｖの車両前後方向Ｘの後方を走行する後続車両であるものとして説明する。
【００１７】
また、情報表示システム１が搭載される車両Ｖは、電気車両（ＥＶ（Ｅｌｅｃｔｒｉｃ  Ｖｅｈｉｃｌｅ））、ハイブリッド車両（ＨＥＶ（Ｈｙｂｒｉｄ  Ｅｌｅｃｔｒｉｃ  Ｖｅｈｉｃｌｅ））、プラグインハイブリッド車両（ＰＨＥＶ（Ｐｌｕｇ−ｉｎ  Ｈｙｂｒｉｄ  Ｅｌｅｃｔｒｉｃ  Ｖｅｈｉｃｌｅ））、ガソリン車両、ディーゼル車両など、駆動源としてモータ又はエンジンを用いるいずれの車両であってもよい。また、当該車両Ｖの運転は、運転者による手動運転、半自動運転、完全自動運転等、いずれであってもよい。また、当該車両Ｖは、いわゆる個人が所有する自家用車、レンタカー、シェアリングカー、バス、タクシー、ライドシェアカーのいずれであってもよい。
【００１８】
具体的には、情報表示システム１は、図３に示すように、アンテナ２と、表示器３と、処理部４と、筐体５とを備える。アンテナ２、表示器３、及び、処理部４は、筐体５に組み付けられユニット化されることで通信／表示モジュールを構成する。
【００１９】
本実施形態のアンテナ２、表示器３、処理部４、及び、筐体５は、車両後部ＶＲ（図１参照）に設けられる。より詳細には、本実施形態のアンテナ２、表示器３、処理部４、及び、筐体５は、車両後部ＶＲに設けられるリアスポイラーＲＳ（図１参照）に内蔵される。ここで、リアスポイラーＲＳとは、車両Ｖの揚力を減らすためのいわゆるエアロパーツであり、車両ＶのボデーＢＯにおいて外部に露出して設けられる。リアスポイラーＲＳは、アンテナ２による電磁波の送受信を阻害しない樹脂材料等によって形成される。リアスポイラーＲＳは、車両Ｖにおいて電磁波の送受信を行い易い部位、例えば、ボデーＢＯの一部を構成する屋根部材ＲＦの車両前後方向Ｘの後方端部（図１参照）や車両後部ＶＲのトランク上部等に設けられる。
【００２０】
アンテナ２は、車両Ｖの外部の外部通信対象ＴＡ１との間で電磁波を送受信することで外部通信対象ＴＡ１と通信を行い各種の情報を送受信するものである。アンテナ２は、様々な形式のものとすることができる。アンテナ２は、電荷が対称に分布する平衡アンテナ、電荷が非対称に分布する不平衡アンテナ等のいずれの形式であってもよい。アンテナ２は、例えば、平面アンテナ、マイクロストリップアンテナ（パッチアンテナ）、逆Ｆアンテナ、ダイポールアンテナ等のいずれの形式であってもよい。ここでは、アンテナ２は、リアスポイラーＲＳ等の狭小スペースでも内蔵し易いものとして、平面アンテナを用いることが好ましい。
【００２１】
アンテナ２によって送受信される電磁波としては、例えば、ラジオ（ＡＭ、ＦＭ等）、ＤＴＶ（２Ｋ、４Ｋ、８Ｋ等）、ＴＥＬ（ＰＣＳ、ＣＤＭＡ、ＬＴＥ、ＷｉＭＡＸ（登録商標）、４Ｇ、５Ｇ等）、衛星通信（ＧＮＳＳ：Ｇｌｏｂａｌ  Ｎａｖｉｇａｔｉｏｎ  Ｓａｔｅｌｌｉｔｅ  Ｓｙｓｔｅｍｓ（ＧＰＳ、ＧＬＯＮＡＳＳ、Ｇａｌｉｌｅｏ等））、Ｖ２Ｉ（Ｖｅｈｉｃｌｅ  ｔｏ  Ｉｎｆｒａｓｔｒｕｃｔｕｒｅ）、Ｖ２Ｘ（Ｖｅｈｉｃｌｅ  ｔｏ  ｅｖｅｒｙｔｈｉｎｇ）、ＥＴＣ／ＤＳＲＣ、ＶＩＣＳ（登録商標）、無線ＬＡＮ、ミリ波通信、Ｗｉ−Ｆｉ（登録商標）、Ｂｌｕｅｔｏｏｔｈ（登録商標）等で用いられる各周波数帯域の電磁波を含んでいてもよい。本実施形態のアンテナ２は、典型的には、外部通信対象ＴＡ１である先行車両との間で電磁波を介して情報を送受信するＶ２Ｘ用のアンテナを含んで構成される。
【００２２】
本実施形態のアンテナ２は、外部通信対象ＴＡ１から外部情報を受信する。外部情報とは、外部通信対象ＴＡ１から送信されアンテナ２によって受信される情報であり、後述する外部向け表示処理に用いられる情報である。外部情報は、例えば、他車両状態情報、周辺状況情報等を含んでいてもよい。他車両状態情報は、外部通信対象ＴＡ１である他車両（ここでは、先行車両）の状態を表す情報である。周辺状況情報は、外部通信対象ＴＡ１である他車両（ここでは、先行車両）の周辺状況を表す情報である。他車両状態情報は、例えば、他車両の車速情報、加速度（車両前後方向加速度、車両幅方向加速度、車両ロール方向加速度等）情報、操舵角情報、アクセルペダルの操作量（アクセル踏み込み量）情報、ブレーキペダルの操作量（ブレーキ踏み込み量）情報、シフトポジション情報現在位置情報（ＧＰＳ情報）、各部の電流値／電圧値情報、蓄電装置の蓄電量情報、方向指示器（ウインカ）情報等を含んでいてもよい。他車両状態情報は、さらに、他車両の乗員の心拍数、呼吸数、脈拍数、血圧、体温、脳波、筋電流等のバイタルサイン、指紋情報、静脈情報、顔貌情報、声紋情報、虹彩情報等の個人を識別可能な個体識別情報、血糖値情報、血中アルコール濃度、心電情報、覚醒度情報、顔向き・視線情報、瞼開閉度情報等の生体情報を含んでいてもよい。周辺状況情報は、例えば、他車両の周辺環境や他車両の周辺の人物、車両、障害物等の外部物体を撮像した周辺画像情報、外部物体の有無や当該外部物体との相対距離、相対速度、ＴＴＣ（Ｔｉｍｅ−Ｔｏ−Ｃｏｌｌｉｓｉｏｎ：接触余裕時間）等を表す外部物体情報、他車両が走行する車線の白線情報、他車両が走行する走行路の交通情報、他車両Ｖの現在位置における天候／降雨の有無／日照の有無／照度／気温等の環境情報等を含んでいてもよい。
【００２３】
本実施形態のアンテナ２が受信する外部情報は、外部通信対象ＴＡ１である先行車両から受信する警告情報を含む。当該警告情報は、典型的には、情報提供対象ＴＡ２である後続車両に対して警告すべき事象の発生を表す情報である。警告情報は、例えば、後続車両に対して警告すべき事象として、外部通信対象ＴＡ１である先行車両の運転者の体調不良の発生、外部通信対象ＴＡ１である先行車両の前方の事故／渋滞の発生、地震／火災／竜巻／洪水等の災害の発生等を表す情報である。
【００２４】
表示器３は、車両Ｖの外部に対して情報の表示を行うための情報表示機器である。表示器３は、例えば、バルブ電球やＬＥＤ（Ｌｉｇｈｔ  Ｅｍｉｔｔｉｎｇ  Ｄｉｏｄｅ）等の発光素子によって構成される表示灯、複数の発光素子を配列したインジケータ／文字表示器（サインボード）、画像を表示する液晶ディスプレイ、プラズマディスプレイ、有機ＥＬディスプレイ等の画像表示装置等によって構成される。本実施形態の表示器３は、一例として、いわゆるハイマウントストップランプ（ＨＭＳＬ：Ｈｉｇｈ  Ｍｏｕｎｔ  Ｓｔｏｐ  Ｌａｍｐ）を兼用して構成されるものとして説明する。ハイマウントストップランプは、車両Ｖの車両後部ＶＲに設けられる表示灯である（図１参照）。ハイマウントストップランプは、典型的には、車両Ｖの制動動作時に点灯する表示灯である。表示器３として兼用されるハイマウントストップランプは、上述したように車両後部ＶＲのリアスポイラーＲＳに設けられ、車両Ｖの車両前後方向Ｘの後方の情報提供対象ＴＡ２である後続車両に対して表示を行う。表示器３として兼用されるハイマウントストップランプは、典型的には、後述する外部向け表示処理においては、制動動作時の表示態様（点灯態様）とは区別して異なる表示態様で点灯する。
【００２５】
処理部４は、情報表示システム１の各部を統括的に制御するものである。処理部４は、車両Ｖの外部の外部通信対象ＴＡ１から外部情報を受信し情報提供対象ＴＡ２に対して当該外部情報と連携した情報を提示するための種々の演算処理を実行する。本実施形態の処理部４は、アンテナ２が受信した外部情報に基づいて、後述する外部向け表示処理を実行する機能を有している。処理部４は、ＣＰＵ（Ｃｅｎｔｒａｌ  Ｐｒｏｃｅｓｓｉｎｇ  Ｕｎｉｔ）等の中央演算処理装置、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）及びインターフェースを含む周知のマイクロコンピュータを主体とする電子回路を含んで構成される。処理部４は、アンテナ２、表示器３が電気的に接続される。処理部４は、各種の電気信号を各部との間で相互に授受することができる。
【００２６】
具体的には、処理部４は、図４に例示するように、機能概念的に、記憶部４ａ、送受信処理部４ｂ、及び、表示処理部４ｃを含んで構成される。
【００２７】
記憶部４ａは、種々の情報を記憶する部分である。記憶部４ａは、処理部４での各種処理に必要な条件や情報、処理部４で実行する各種プログラムやアプリケーション、制御データ等が格納されている。記憶部４ａは、アンテナ２によって受信された外部情報を一時的に記憶することもできる。また、記憶部４ａは、後述する外部向け表示処理における表示器３の表示内容を表す表示情報も記憶している。記憶部４ａは、送受信処理部４ｂ、表示処理部４ｃ等によってこれらの情報が必要に応じて読み出される。
【００２８】
送受信処理部４ｂ、及び、表示処理部４ｃは、記憶部４ａに記憶されている各種プログラムを実行し、当該プログラムが動作することにより各部に出力信号を出力し各種機能を実現するための種々の処理を実行する部分である。
【００２９】
送受信処理部４ｂは、アンテナ２を制御し、アンテナ２を介した情報の送受信に係る処理を実行する。本実施形態の送受信処理部４ｂは、アンテナ２を介して外部通信対象ＴＡ１から外部情報を受信し記憶部４ａに記憶する処理を実行する。
【００３０】
表示処理部４ｃは、表示器３を制御し、表示器３による情報の表示に係る処理を実行する。本実施形態の表示処理部４ｃは、表示器３を制御し、外部向け表示処理を実行する。ここで、外部向け表示処理とは、アンテナ２が受信し記憶部４ａに記憶された外部情報に基づいて表示器３を制御し表示器３に当該外部情報と連携した表示を行わせる処理である。表示処理部４ｃは、外部向け表示処理では、記憶部４ａから、アンテナ２が受信した外部情報に対応する表示内容を表す表示情報を読み出し、当該読み出した表示情報を表示器３に表示させることで、表示器３に当該外部情報と連携した表示を行わせる。
【００３１】
なお、表示処理部４ｃは、外部向け表示処理では、上述したように、表示器３として兼用されるハイマウントストップランプを制御し、車両Ｖの制動動作時の表示態様（点灯態様）とは異なる表示態様で表示を行う。表示器３として兼用されるハイマウントストップランプは、例えば、ハイマウントストップランプの点滅パターン、点滅周期、点灯色等を異ならせることで、その表示態様（点灯態様）を異ならせることができる。すなわち、表示処理部４ｃは、例えば、当該表示器３（ハイマウントストップランプ）の点滅パターン、点滅周期、点灯色等を異ならせることで、車両Ｖの制動動作時の表示態様と外部向け表示処理における表示態様とを異ならせることができる。
【００３２】
より具体的には、本実施形態の表示処理部４ｃは、外部向け表示処理では、アンテナ２が受信した外部情報に含まれる警告情報に基づいて、表示器３を制御し、当該警告情報と連携した警告表示を行わせる。表示処理部４ｃは、当該外部向け表示処理では、表示器３を制御し、車両Ｖの車両前後方向Ｘの後方の情報提供対象ＴＡ２である後続車両に対して警告表示を行わせる。表示処理部４ｃは、外部向け表示処理では、警告情報が表す事象の種類（先行車両の運転者の体調不良、先行車両の前方の事故／渋滞、地震／火災／竜巻／洪水等の災害等）に応じて点滅パターン、点滅周期、点灯色等の表示態様（点灯態様）を変更することができる。表示処理部４ｃは、外部向け表示処理では、記憶部４ａから警告情報に対応する表示内容を表す表示情報を読み出し、当該読み出した表示情報を表示器３に表示させることで、表示器３に当該警告情報と連携した表示を行わせる。
【００３３】
筐体５は、アンテナ２、表示器３、及び、処理部４が組み付けられてユニット化し車両Ｖに据え付けられるものである。筐体５は、例えば、絶縁性を有する合成樹脂によって形成される。筐体５は、例えば、複数の部材が組み合わさって構成されてもよい。筐体５は、アンテナ２、表示器３、及び、処理部４が組み付けられ、情報表示システム１としてユニット化する。アンテナ２、表示器３、処理部４、及び、筐体５は、ユニット化された状態で、上述のように、リアスポイラーＲＳ（図１参照）に内蔵される。アンテナ２、表示器３、処理部４、及び、筐体５は、リアスポイラーＲＳに内蔵された状態で、表示器３が外部に露出し車両前後方向Ｘの後方を向く位置関係で当該リアスポイラーＲＳに設けられる。
【００３４】
上記のようにリアスポイラーＲＳに内蔵される情報表示システム１は、車両Ｖの電源から電力が供給され各部が駆動する。電力供給のための各構成要素間の接続方式は、電線等の配索材を介した有線による接続、非接触給電等の無線による接続のいずれであってもよい。
【００３５】
一方、上記のように構成された情報表示システム１は、上述した外部向け表示処理については、基本的には、アンテナ２が受信した外部情報のみで完結することがきる。つまり、情報表示システム１は、車両Ｖ全体を統括的に制御する車両制御システムから独立した状態で車両制御システム側から各種情報を受け取らずに外部向け表示処理を実行することができる。さらに言えば、情報表示システム１は、アンテナ２が受信した外部情報を、他の制御装置等を介在させずに、ダイレクトに処理部４で処理し、表示器３に当該外部情報と連携した処理を行わせることができる。また、情報表示システム１は、アンテナ２が受信した外部情報を、当該情報表示システム１内のみで使用し、上記車両制御システム側には提供せず、外部向け表示処理以外の処理には使用させない構成とすることもできる。つまり、情報表示システム１は、電源以外は上記車両制御システムから独立して完結したシステムとして構成することができる。なお、情報表示システム１は、さらに、情報表示システム１自身で蓄電装置や発電装置（例えば、太陽光パネル等）等の電源を備えることで、電源も含め上記車両制御システムから独立して完結したシステムとして構成することもできる。
【００３６】
次に、図５のフローチャート図を参照して情報表示システム１における制御の一例の概略を説明する。なお、これらの制御ルーチンは、例えば、数ｍｓないし数十ｍｓ毎の制御周期（クロック単位）で繰り返し実行される。
【００３７】
処理部４の送受信処理部４ｂは、アンテナ２によって外部情報を受信したか否かを判定する（ステップＳＴ１）。送受信処理部４ｂは、外部情報を受信していないと判定した場合（ステップＳＴ１：Ｎｏ）、現在の制御周期を終了し、次の制御周期に移行する。
【００３８】
処理部４の送受信処理部４ｂは、外部情報を受信したと判定した場合（ステップＳＴ１：Ｙｅｓ）、当該受信した外部情報に対して各種処理を施して記憶部４ａに記憶する（ステップＳＴ２）。
【００３９】
次に、処理部４の表示処理部４ｃは、ステップＳＴ２の処理で受信、処理した外部情報に基づいて、表示器３を制御し、当該外部情報と連携した表示を行わせる外部向け表示処理を実行し（ステップＳＴ３）、現在の制御周期を終了し、次の制御周期に移行する。
【００４０】
以上で説明した情報表示システム１は、車両Ｖに据え付けられた筐体５を介してユニット化されたアンテナ２、表示器３、及び、処理部４が連携して外部向け表示処理を実行することができる。ここで、外部向け表示処理とは、処理部４によって実行される処理であり、アンテナ２が受信した外部情報に基づいて表示器３を制御し当該外部情報と連携した表示を行わせる処理である。つまり、情報表示システム１は、当該情報表示システム１が搭載された車両Ｖが外部から得た外部情報を周囲に表示、提供することができる。この結果、情報表示システム１は、車両Ｖの外部に対して有用な情報を提供することがきる。これにより、情報表示システム１は、例えば、外部との通信システムを備えない他車両や通行人等に対しても、車両Ｖが得た外部情報に基づく有用な情報を適正に提供することができる。
【００４１】
また、情報表示システム１は、アンテナ２、表示器３、及び、処理部４が筐体５によってユニット化されて車両Ｖに据え付けられるので、アンテナ２、表示器３、処理部４を近接して配置することができる。この結果、情報表示システム１は、アンテナ２、表示器３、処理部４の相互間を接続する配索材を極力省略することができる。そして、情報表示システム１は、アンテナ２が受信した外部情報を、他の制御装置等を介在させずに、ダイレクトに処理部４で処理し、表示器３に当該外部情報と連携した処理を行わせることができるので、例えば、動作遅延等を抑制することができる。また、情報表示システム１は、アンテナ２、表示器３、及び、処理部４が筐体５によってユニット化されて車両Ｖに据え付けられるので、車両Ｖへの組み付け性を向上することができ、例えば、完成車両に対して後付することも容易にすることができる。その上で、情報表示システム１は、上記のように車両Ｖの外部に対して有用な情報を提供することがきる。
【００４２】
さらに、以上で説明した情報表示システム１は、処理部４による外部向け表示処理では、アンテナ２が外部通信対象ＴＡ１である先行車両から受信した外部情報に含まれる警告情報に基づいて表示器３を制御し当該警告情報と連携した警告表示を行わせる。この結果、情報表示システム１は、車両Ｖの外部に対して警告表示を行う警報システムとして機能することができる。これにより、情報表示システム１は、例えば、外部との通信システムを備えない他車両や通行人等に対しても、車両Ｖが外部通信対象ＴＡ１である先行車両から得た警告情報に基づいて、警告すべき事象の発生を報せることができる。
【００４３】
また、以上で説明した情報表示システム１は、処理部４による外部向け表示処理では、表示器３を制御し、車両Ｖの車両前後方向Ｘの後方に対して表示を行わせる。この結果、情報表示システム１は、当該情報表示システム１を搭載した車両Ｖによって車両前後方向Ｘの前方側の視野が阻害され易い傾向にある後続車両等に対して、車両Ｖが得た外部情報に基づく有用な情報を提供することがきる。
【００４４】
さらに、以上で説明した情報表示システム１は、アンテナ２、表示器３、処理部４、及び、筐体５がユニット化された状態で車両後部ＶＲに設けられるリアスポイラーＲＳに内蔵される。この構成により、情報表示システム１は、車両Ｖにおいて、比較的に後付し易く、かつ、相対的に電磁波状況が良く、さらには、後続車両等から比較的に目視し易い位置に、アンテナ２、表示器３、処理部４、及び、筐体５を設けることができる。
【００４５】
なお、上述した本発明の実施形態に係る情報表示システムは、上述した実施形態に限定されず、特許請求の範囲に記載された範囲で種々の変更が可能である。
【００４６】
以上の説明では、筐体５は、リアスポイラーＲＳに内蔵されるものとして説明したがこれに限らない。図６に示す変形例に係る情報表示システム１Ａは、筐体５がリアスポイラーＲＳによって兼用されて構成される。この情報表示システム１Ａは、筐体５として兼用されるリアスポイラーＲＳに直接的にアンテナ２、表示器３、及び、処理部４が組み付けられてユニット化され、車両Ｖの車両後部ＶＲに据え付けられる。この場合であっても、情報表示システム１Ａは、車両Ｖの外部に対して有用な情報を提供することがきる。そしてこの場合、情報表示システム１Ａは、構成部品数を抑制することができるので、例えば、重量の増大や製造コストの増加を抑制することができる。
【００４７】
以上の説明では、情報表示システム１は、電源以外は車両Ｖ全体を統括的に制御する車両制御システムから独立して完結したシステムとして構成することができるものとして説明したがこれに限らない。図７に示す変形例に係る情報表示システム１Ｂは、処理部４が車載ネットワーク等を介してＥＣＵ（Ｅｌｅｃｔｒｏｎｉｃ  Ｃｏｎｔｒｏｌ  Ｕｎｉｔ）１００にも電気的に接続されており、各種の電気信号を相互に授受可能に構成される。ＥＣＵ１００は、電子制御ユニットであり、車両Ｖ全体を統括的に制御する車両制御システムの一部を構成するものである。この場合、情報表示システム１Ｂは、上述した外部向け表示処理については、アンテナ２が受信した外部情報に加えて、ＥＣＵ１００から取得した情報も用いてもよい。つまり、情報表示システム１Ｂは、上記車両制御システムと連携してＥＣＵ１００から各種情報を受けとり外部向け表示処理を実行するようにしてもよい。またこの場合、情報表示システム１Ｂは、アンテナ２が受信した外部情報を、当該情報表示システム１内だけでなく、上記車両制御システム側にも提供し、ＥＣＵ１００において外部向け表示処理以外の処理にも使用させるようにしてもよい。この場合であっても、情報表示システム１Ｂは、車両Ｖの外部に対して有用な情報を提供することがきる。そしてさらにこの場合、情報表示システム１Ｂは、車両制御システム側のＥＣＵ１００とも連携して車両Ｖの外部に対してより有用な情報を提供することがきると共に、例えば、車両Ｖの乗員に対してもアンテナ２が受信した外部情報を提供することもできる。
【００４８】
以上の説明では、情報表示システム１は、自車両である車両Ｖに搭載されるものとして説明したが、図８に示す変形例のように、車両Ｖ以外の他車両、ここでは、外部通信対象ＴＡ１である先行車両、情報提供対象ＴＡ２である後続車両等にも搭載されていてもよい。この場合、アンテナ２は、外部通信対象ＴＡ１から外部情報を受信するだけでなく、外部情報を含む各種情報を外部に送信するようにしてもよい。例えば、情報表示システム１は、外部通信対象ＴＡ１である先行車両から受信した外部情報に基づいて外部向け表示処理を実行するだけでなく、情報提供対象ＴＡ２である後続車両に対して外部情報を送信するようにしてもよい。つまりこの場合、外部通信対象ＴＡ１である先行車両から外部情報を受信し外部向け表示処理を実行した車両Ｖは、情報提供対象ＴＡ２である後続車両における外部通信対象ＴＡ１となる。そして、情報提供対象ＴＡ２であった車両Ｖ（後続車両）に搭載された情報表示システム１は、受信した外部情報に基づいて外部向け表示処理を実行してもよい。つまり、各情報表示システム１は、それぞれに情報表示システム１を搭載した複数の車両Ｖを連携させて外部情報を送受信すると共に各車両Ｖにおいてそれぞれ外部向け表示処理を実行するようにしてもよい。この場合、情報提供対象ＴＡ２に送信する外部情報は、自車両である車両Ｖに関する外部情報に加え、外部通信対象ＴＡ１である先行車両から受信した外部情報を含んでいてもよい。
【００４９】
以上で説明した情報表示システム１は、さらに、車両Ｖの外部の画像を撮像する外部カメラ（例えばドライブレコーダ）を含んで構成されてもよい。この場合、外部カメラは、アンテナ２、表示器３、処理部４と共に筐体５によってユニット化され、アンテナ２は、外部カメラによって撮像された画像を表す画像情報を外部（例えば、外部サーバ等）に送信するようにしてもよい。
【００５０】
以上の説明では、外部通信対象ＴＡ１、情報提供対象ＴＡ２は、情報表示システム１が搭載された車両（自車両）Ｖ以外の他の車両（他車両）であるものとして説明したがこれに限らない。外部通信対象ＴＡ１は、車両Ｖの外部に位置し情報表示システム１と通信可能なものであればよく、例えば、先行車両以外の他の車両（後続車両、並走車両等）、路上機、通信衛星、通信基地局、外部サーバ等であってもよい。情報提供対象ＴＡ２は、車両Ｖの外部に位置するものであればよく、例えば、後続車両以外の他の車両（先行車両、並走車両等）、通行人等であってもよい。この場合、情報表示システム１は、車両Ｖにおいて情報提供対象ＴＡ２が位置する傾向にある側に設けられていてもよく、例えば、車両後部ＶＲのリアスポイラーＲＳではなく、車両前部ＶＦのボンネットや車両側部のドアパネル等に設けられていてもよい。
【００５１】
以上の説明では、アンテナ２が受信する外部情報は、外部通信対象ＴＡ１である先行車両から受信する警告情報を含むものとして説明したがこれに限らない。また、処理部４は、外部向け表示処理では、記憶部４ａから警告情報に対応する表示内容を表す表示情報を読み出し、当該読み出した表示情報を表示器３に表示させることで、表示器３に当該警告情報と連携した表示を行わせるものとして説明したがこれに限らない。処理部４は、外部向け表示処理では、より高度な演算処理を行うようにしてもよい。例えば、処理部４は、外部向け表示処理では、アンテナ２が受信した外部情報に含まれる周辺画像情報等を解析し、表示器３に当該解析結果に応じた表示内容を表示させることで、表示器３に当該外部情報（周辺画像情報等）と連携した表示を行わせるようにしてもよい。また、別の例として、処理部４は、例えば、外部向け表示処理では、アンテナ２が外部通信対象ＴＡ１である後続車両から受信した外部情報に含まれる外部物体情報等を解析し、自車両である車両Ｖと後続車両との相対速度を算出する。そして、処理部４は、表示器３に当該相対速度に応じた表示内容を表示させることで、表示器３に当該外部情報（外部物体情報等）と連携した表示を行わせるようにしてもよい。この場合、表示器３は、上述のハイマウントストップランプのような表示灯に限らず、例えば、より詳細な情報を表示可能なインジケータ／文字表示器、画像表示装置等が用いられてもよい。
【００５２】
本実施形態に係る情報表示システムは、以上で説明した実施形態、変形例の構成要素を適宜組み合わせることで構成してもよい。
【符号の説明】
【００５３】
１、１Ａ、１Ｂ    情報表示システム
２    アンテナ
３    表示器
４    処理部
４ａ    記憶部
４ｂ    送受信処理部
４ｃ    表示処理部
５    筐体
１００    ＥＣＵ
ＢＯ    ボデー
ＲＦ    屋根部材
ＲＳ    リアスポイラー
ＴＡ１    外部通信対象
ＴＡ２    情報提供対象
Ｖ    車両
ＶＦ    車両前部
ＶＲ    車両後部
Ｘ    車両前後方向
Ｙ    車両幅方向
Ｚ    車両高さ方向
【図１】
2020104535.tif 000003
【図２】
2020104535.tif 000004
【図３】
2020104535.tif 000005
【図４】
2020104535.tif 000006
【図５】
2020104535.tif 000007
【図６】
2020104535.tif 000008
【図７】
2020104535.tif 000009
【図８】
2020104535.tif 000010